(57)【特許請求の範囲】
【請求項１】
フィルタ枠（１０）の外周部に、フィルタ枠（１０）の外周部とフィルタ枠設置箇所との間に生じた隙間を塞ぐ補助片（１）をクリップ（２）で固定することによって、フィルタ枠（１０）を拡張する方法であって、
フィルタ枠（１０）の外周部が、フィルタ支持部（１３又は１４）と嵌合部（３０又は３１）とからなるＬ形構造のものであり、嵌合部（３０又は３１）は、平面であり、
補助片（１）の平面部分と嵌合部（３０又は３１）とを断面がコの字形になるクリップ（２）で挟むことによって、補助片（１）をフィルタ枠（１０）の外周部に固定することを特徴とするフィルタ枠の拡張方法。
【発明の詳細な説明】
【０００１】
【発明の属する技術分野】
本発明は、換気扇や排気ダクト等に適用される着脱可能な濾過装置のフィルタ枠の拡張方法に関するものである。
【０００２】
【従来の技術】
換気扇や排気ダクト等に適用される濾過装置は、各メーカの独自仕様である場合がほとんどであり、基本的な構造は類似していてもフィルタ枠の大きさがまちまちであった。フィルタ枠の大きさが異なると、異なる濾過装置用に製造されたフィルタ枠は別の濾過装置には適用することができず、従って、それぞれ一品一様の大きさのフィルタ枠を製造しなければならなかった。また、補充するフィルタの在庫、ラインナップ、管理、製造には膨大なスペースとコストが必要になる。
【０００３】
この大きさの違いによる不具合を解消するものには、実開平６−１５７１５号のレンジフード用フィルターや本件出願人の出願である特願平７−１０１０３６号のレンジフードフィルタ用アタッチメントがある。
【０００４】
この実開平６−１５７１５号のレンジフード用フィルターや特願平７−１０１０３６号のレンジフードフィルタ用アタッチメントは、濾過面積を大幅に増加させる場合には非常に効果的であるが、設置場所の空気通路とフィルタ枠の外周部との間に、例えば幅が１０ｍｍ位の小さな隙間が生じた場合に適用するにはあまりにも大掛かり過ぎる。
【０００５】
【発明が解決しようとする課題】
上記事情に鑑み、本発明は濾過装置のフィルタ枠を拡張し、フィルタ枠と空気通路の間に生じた隙間を塞ぐことができるフィルタ枠の拡張方法を提供することを目的とする。
【０００６】
【課題を解決するための手段】
請求項１の発明は、フィルタ枠の外周部に、フィルタ枠の外周部とフィルタ枠設置箇所との間に生じた隙間を塞ぐ補助片をクリップで固定することによって、フィルタ枠を拡張する方法であって、フィルタ枠の外周部が、フィルタ支持部と嵌合部とからなるＬ形構造のものであり、嵌合部は、平面であり、補助片の平面部分と嵌合部とを断面がコの字形になるクリップで挟むことによって、補助片をフィルタ枠の外周部に固定することを特徴としている。
【０００７】
【０００８】
【発明の実施の形態】
（実施例１）
図１は、請求項１の発明のフィルタ枠拡張方法を適用した濾過装置１００の正面図を示している。また、図２（ａ）は図１のIIａ−IIａ矢視図を示しており、図２（ｂ）は図１のIIｂ−IIｂ矢視図を示しており、図３は図１のIII− III矢視図を示している。
【０００９】
図１において濾過装置１００は、補助片１、クリップ２及びフィルタ枠１０から構成されている。フィルタ枠１０は、上辺部材５、下辺部材６、左辺部材７及び右辺部材８により構成されている。
【００１０】
上辺部材５と下辺部材６は、図２（ａ）に示すように第一鍵状部１５を備えており、この第一鍵状部１５には連結部材９０（図６）を連結することができる。また、上辺部材５と下辺部材６は、後述するフィルタ支持部材３がフィルタ枠１０から外れないようにするための第二鍵状部１６を備えている。
【００１１】
図１のフィルタ枠１０の左辺部材７は、フィルタ支持部１３と嵌合部３０が直角に連続して形成されており、同様に右辺部材８はフィルタ支持部１４と嵌合部３１が直角に連続して形成されている。
【００１２】
左辺部材７のフィルタ支持部１３の上端部及び下端部は、それぞれ上辺部材５のフィルタ支持部１１の左端部と下辺部材６のフィルタ支持部１２の左端部にリベットで固着されている。
【００１３】
同様に、右辺部材８のフィルタ支持部１４の上端部及び下端部は、それぞれ上辺部材５のフィルタ支持部１１の右端部と下辺部材６のフィルタ支持部１２の右端部に固着されている。
【００１４】
フィルタ支持部材３は、針金で形成されており、フィルタ支持部材３の図１で見て上辺及び下辺にそれぞれ二つの突起１７が形成されている。この突起１７がフィルタ枠１０の上辺部材５と下辺部材６の溝９（図２（ａ））にはめ込まれてフィルタ支持部材３は第二鍵状部１６に引っ掛かって外れないようにフィルタ枠１０に装着されている。
【００１５】
フィルタ支持部材３をフィルタ枠１０へ着脱する際は、図１で見てフィルタ支持部材３の上下方向の寸法が短くなるようにフィルタ支持部材３を撓ませて第二鍵状部１６を通過させることにより行う。フィルタ４は、フィルタ支持部１１〜１４とフィルタ支持部材３で挟まれてフィルタ枠１０に固定されている。
【００１６】
図４は、図１のIV−IV断面図である。図４において、クリップ２は先端部２ａと２ｂが互いに近づく向きに弾性を有しており、クリップ２は断面がコの字形になるまで広げられてフィルタ枠１０と補助片１を挟んで固着している。
【００１７】
図４に二点鎖線で示す壁８０には段８１が設けてある。段８１は、開口８２の全周に渡って形成されており、この段８１の右辺に補助片１が当接している。開口８２の全周に渡って形成された段８１に対して、補助片１以外には、上辺部材５、下辺部材６及び左辺部材７の嵌合部３０がそれぞれ当接しており（図示せず）、フィルタ枠１０は壁８０の段８１に嵌合して固定されている。
【００１８】
図４に示すように、フィルタ枠１０（右辺部材８）にはクリップ２で幅Ｈ１の補助片１が固定されており、図１に示すように、補助片１はフィルタ枠１０の上下の長さに合わせて余剰部分７０（図１の細線部分）を切断することにより、様々な大きさのフィルタ枠１０に対して適切な長さに調整することができる。
【００１９】
図１に示す上辺部材５及び下辺部材６には、伸縮不可の一体成型された例えばアルミニウム製の型材を使用することができるが、代わりに図５（ａ）及び図５（ｂ）に示すような長さを調節可能な枠構成部材２０を使用してもよい。
【００２０】
図５（ａ）に示す枠構成部材２０の第一部材２１には、図５（ａ）のＣ−Ｃ断面図である図５（ｃ）に示す孔２４が設けてあり、第二部材２２には長孔２３が設けてある。第一部材２１と第二部材２２は、図５（ｃ）に示すように組み合わされており、図５（ａ）及び（ｂ）で見て、左右方向にのみ互いに摺動可能となっている。
【００２１】
第一部材２１と第二部材２２を組み合わせた後、ボルト２６を長孔２３と孔２６を貫通させて反対側からナット２５に螺合させて第一部材２１と第二部材２２を相対的に移動しないように固定する。
【００２２】
ボルト２６は第一部材２１と共に、第二部材２２の長孔２３に沿って図５（ａ）及び（ｂ）で見て左右に第二部材２２に対して相対的に移動させることができ、適切な長さになったところでボルト２６とナット２５を固く螺合させ、第一部材２１と第二部材２２を固定する。図５（ｂ）では、図５（ａ）の状態より長さＬだけ短くなっている。この枠構成部材２０を使用することにより、任意の幅（図１の横方向）のフィルタ枠１０を形成することができる。
【００２３】
また、図１の上辺部材５や下辺部材６も左辺部材７及び右辺部材８と同じＬ形の構造の型材を採用することもでき、その場合は、補助片１をクリップ２で上辺部材５と下辺部材６に固定することができる。
【００２４】
クリップ２は、表面が固くかつ先端２ａと２ｂが閉じる向きに弾性を有する材質であれば、鋼材でもプラスチックでもよい。また、図１ではクリップ２を二つ用いてフィルタ枠１０と補助片１を固定する例を示したが、確実に両者を固定することができるのであればクリップ２をいくつ用いても差し支えない。
【００２５】
クリップ２の代わりに、図７（ａ）に示すような取手４０を矢印の向きに押すことにより図７（ｂ）に示すように先端部４１を開き物を挟むクリップ５０を採用してもよい。
【００２６】
フィルタ交換の際にも補助プレートはフィルタ枠に固定され、一体化しているため、濾過装置からの着脱が容易である。また、補助プレートはクリップ止めで簡単に取り外しすることができるため、フィルタ枠は別の濾過装置にも容易に転用することができリサイクルすることができる。
【００２７】
（参考例１）
図８は、本発明に関連したフィルタ枠２００の分解正面図を示している。図８においてフィルタ枠２００は、四隅にそれぞれ隅構成部材４０を配置し、各隅構成部材４０間に辺構成部材４１を配置している。
【００２８】
各隅構成部材４０及び各辺構成部材４１を図８の矢印方向に移動させる。例えば図９に示すように相対移動させ、各隅構成部材４０と各辺構成部材４１をクリップ４２で固定する。図９において、クリップ４２ａと４２ｂのみがまだ外れたままになっており、フィルタ枠２００の左辺を構成する部分が矢印Ａ方向（又は矢印Ａ方向とは逆方向）に移動させることができ、フィルタ枠２００の上辺及び下辺を構成する部分の長さを調整することができる。
【００２９】
すなわち図９において、左上の隅構成部材４０と上方の辺構成部材４１の重複部分の長さＢを調整し、クリップ４２ａでこれらを固定する。同様に、左下の隅構成部材４０と下方の辺構成部材４１の重複部分の長さＢ（図示せず）を調整し、クリップ４２ｂでこれらを固定する。
【００３０】
図８及び図９では、一対のクリップ４２ａと４２ｂを選定してフィルタ枠２００を左右方向に拡張する方法を示したが、上下方向に拡張する必要があれば、対応する一対のクリップ４２を取り外し、フィルタ枠２００が所望する大きさになるように上下方向に調整してから取り外したクリップ４２で再度固定する。
【００３１】
フィルタ枠２００を拡張した場合、図示しないフィルタエレメント（濾過部材）はフィルタ枠２００に見合う大きさの物を選定し、フィルタ枠２００に取り付ける。
【００３２】
（参考例２）
図１０は、本発明に関連した別のフィルタ枠３００の正面図を示している。図１０において、フィルタ枠３００は、四つの隅構成部材５０と四つの辺構成部材５１を組み合わせて、クリップ５２で固定している。図１０のXI−XI断面図である図１１に示すように、辺構成部材５１は隅構成部材５０を包み込むようにガイドしており、さらにクリック５２で両者を固定している。
【００３３】
図１０において、クリップ５２ａと５２ｂが外れており、フィルタ枠３００の上辺を構成する部分が矢印Ｄの方向に拡張可能となっている。フィルタ枠３００の上下方向の大きさを所望する大きさに調整してクリップ５２ａと５２ｂで固定する。
【００３４】
また、図１０において、クリップ５２ｃと５２ｄが外れており、フィルタ枠３００の左辺を構成する部分が矢印Ｅの方向に拡張可能となっている。フィルタ枠３００の左右方向の大きさを所望する大きさに調整してクリップ５２ｃと５２ｄで固定する。
【００３５】
フィルタ枠３００を拡張した場合、図示しないフィルタエレメント（濾過部材）はフィルタ枠３００に見合う大きさの物を選定し、フィルタ枠３００に取り付ける。
【００３６】
【発明の効果】
請求項１の発明を適用すると、フィルタ枠１０にクリップ２で補助片１を固定するので、濾過装置１００と開口８２の間に生じた隙間を簡単かつ確実に塞ぐことができる。フィルタ枠１０にクリップで補助片１（補助プレート）を固定することにより、濾過装置１００を濾過装置１００の設置場所（開口８２）に安定して確実に設置することができる。
【００３７】
【図面の簡単な説明】
【図１】濾過装置において、フィルタ枠にクリップで補助片を固定した状態の正面図を示す。
【図２】図２（ａ）は図１のIIａ−IIａ矢視図を示し、図２（ｂ）は図１のIIｂ−IIｂ矢視図を示す。
【図３】図１のIII−III矢視図を示す。
【図４】図１のIV−IV断面図を示す。
【図５】図５（ａ）及び図５（ｂ）は、一例として使用可能な枠構成部材の正面図を示し、図５（ｃ）は図５（ａ）のＣ−Ｃ断面図を示す。
【図６】濾過装置において、連結部材の連結状態を示す側面図である。
【図７】図７（ａ）は請求項１の発明を実施する際に採用することができるクリップの閉じた状態を示す側面図であり、図７（ｂ）は図７（ａ）のクリップが開いた状態を示す側面図である。
【図８】参考例１のフィルタ枠の分解正面図である。
【図９】図８のフィルタ枠を組み立てた状態を示す正面図である。
【図１０】参考例２の別のフィルタ枠の正面図である。
【図１１】図１０のXI−XI断面図である。
【符号の説明】
１  補助片（補助プレート）
２  クリップ
１０、４２、５２  フィルタ枠
１３、１４  フィルタ支持部
３０、３１  嵌合部
４０、５０  隅構成部材
４１、５１  辺構成部材
２００、３００  フィルタ枠
【図１】
0004106141.tif 000002
【図２】
0004106141.tif 000003
【図３】
0004106141.tif 000004
【図４】
0004106141.tif 000005
【図５】
0004106141.tif 000006
【図６】
0004106141.tif 000007
【図７】
0004106141.tif 000008
【図８】
0004106141.tif 000009
【図９】
0004106141.tif 000010
【図１０】
0004106141.tif 000011
【図１１】
0004106141.tif 000012